(57)【特許請求の範囲】
【請求項１】
湯水を噴出する複数のシャワーノズルと、前記シャワーノズルに連通する流路と、前記シャワーノズルを配置したシャワー装置本体と、前記シャワーノズルから噴出する湯水の勢いを調節可能な流量調節手段とを備え、前記シャワー装置本体は、任意の位置に着脱自在に固定可能とするとともに、前記流量調節手段は、前記シャワー装置本体にホースによって接続した筐体に設けたシャワー装置。
【請求項２】
湯水を噴出する複数のシャワーノズルと、前記シャワーノズルに連通する流路と、前記シャワーノズルを配置したシャワー装置本体と、前記流路に設けた前記シャワーノズル以外の別の排水流路とを備え、前記シャワー装置本体は、任意の位置に着脱自在に固定可能とするとともに、前記別の排水流路は、前記シャワー装置本体にホースによって接続した筐体に設けたシャワー装置。
【請求項３】
噴出する湯水の温度を検知する水温検知手段を備え、前記水温検知手段は、シャワー装置本体にホースによって接続した筐体に設けて、別の排水流路への通水を制御するようにした請求項２記載のシャワー装置。
【請求項４】
筐体は、湯水を供給する蛇口とシャワー装置本体との間に設けた請求項３記載のシャワー装置。
【発明の詳細な説明】
【０００１】
【発明の属する技術分野】
本発明は、複数のシャワーノズルを有し、広い範囲にわたって湯水を噴出できるシャワー装置に関するものである。
【０００２】
【従来の技術】
今日、特に若年層に広がりを見せるシャワーのみで入浴を済ます「シャワー族」の増加や、高齢化社会に向けて高まりをみせているバリアフリー、ユニバーサル指向の入浴機器の一般化、また「癒し」「健康」をキーワードにしたおふろグッズの普及など、社会が刻々と変化する中で、市場では入浴スタイルにまつわる付加価値商品が求められる様になってきた。
【０００３】
シャワー装置においては、ハンディサイズの小型のものから浴室に施工される大型のものまで多種多様なタイプが存在するが、この中でも、近年、特に、ユニバーサル指向の体にやさしい機器として、着座姿勢で全身温浴が可能なシャワー装置が注目されている。これは浴槽入浴と同様の温まりを確保しつつ、動作や温度変化などによる体への負担を軽減でき、また、リラックスや癒し感を得られるものである。
【０００４】
【発明が解決しようとする課題】
しかしながら、従来の全身温浴が可能なシャワー装置は、その温まり性能の確保や耐水圧、耐荷重への配慮などのために本体のサイズが大きくなり、その結果として重量も大きくなってしまう傾向がある。そのため全身温浴シャワー機器は、そのサイズや重量の制限により、設置は在来工法の広い浴室に限られ、また大規模な設置工事を要するため、特に一般家庭に導入する上での大きな障害となっていた。
【０００５】
さらに、近年はマンション・アパートや一部の戸建て住宅などでユニット組立型の浴室が増えているが、これらには施工強度の問題から設置が難しいことや、全住戸の約半数をしめる賃貸住宅においては、浴室の壁に穴すらあけられない現状、またこれらの機器は住宅施工時に導入するのが好ましく、どの家庭でも手軽に後付けができない現実など、特に設置面で多くの問題を有していた。
【０００６】
本発明は上記従来の課題を解決するもので、マンション・アパートなどの比較的小さい浴室にも対応し、工事を必要とせずに設置できるようにして設置性を向上するとともに、より小型軽量とし、使い心地を向上することを目的としている。
【０００７】
【課題を解決するための手段】
本発明は上記目的を達成するために、湯水を噴出する複数のシャワーノズルに流路を連通し、このシャワーノズルをシャワー装置本体に配置し、シャワー装置本体は、任意の位置に着脱自在に固定可能とするとともに、シャワーノズルから噴出する湯水の勢いを調節可能な流量調節手段をシャワー装置本体にホースによって接続した筐体に設けたものである。
【０００８】
これにより、取り付け場所の条件を選ばずに、マンション・アパートなどの比較的小さい浴室にも簡単に設置することができ、工事を必要とせずに設置でき、設置性を向上することができるとともに、シャワーノズルからの噴出力を調整することで最適な使い心地で全身シャワー浴をすることができ、また、シャワー装置本体をより軽く、コンパクトにすることができる。
【０００９】
また、本発明は上記目的を達成するために、湯水を噴出する複数のシャワーノズルに流路を連通し、このシャワーノズルをシャワー装置本体に配置し、シャワー装置本体は、任意の位置に着脱自在に固定可能とするとともに、流路に設けたシャワーノズル以外の別の排水流路をシャワー装置本体にホースによって接続した筐体に設けたものである。
【００１０】
これにより、取り付け場所の条件を選ばずに、マンション・アパートなどの比較的小さい浴室にも簡単に設置することができ、工事を必要とせずに設置でき、設置性を向上することができるとともに、緊急時の身体への安全配慮が可能となり、また、シャワー装置本体をより軽く、コンパクトにすることができる。
【００１１】
【発明の実施の形態】
本発明の請求項１に記載の発明は、湯水を噴出する複数のシャワーノズルと、前記シャワーノズルに連通する流路と、前記シャワーノズルを配置したシャワー装置本体と、前記シャワーノズルから噴出する湯水の勢いを調節可能な流量調節手段とを備え、前記シャワー装置本体は、任意の位置に着脱自在に固定可能とするとともに、前記流量調節手段は、前記シャワー装置本体にホースによって接続した筐体に設けたものであり、従来必要であった専門的な施工、工事が不要となり、ユーザが自分で簡単に設置することができ、また、設置するとき壁に傷をつけない吸盤や両面テープなどを利用することで、賃貸住居、工事を敬遠するユーザ、ユニット式浴室などでも、条件を選ばず簡単に設置することができ、設置性を向上することができ、シャワーノズルからシャワー（湯水）を噴出することで、全身シャワー浴をすることができる。また、一部の地方によって起こり得る高い水道圧への対応などが容易にできるため、シャワーノズルからの噴出が強いとユーザが感じたときの調整手段として利用することができるとともに、高水圧による破損の防止や、最適な使い心地を実現できる。
【００１２】
請求項２に記載の発明は、湯水を噴出する複数のシャワーノズルと、前記シャワーノズルに連通する流路と、前記シャワーノズルを配置したシャワー装置本体と、前記流路に設けた前記シャワーノズル以外の別の排水流路とを備え、前記シャワー装置本体は、任意の位置に着脱自在に固定可能とするとともに、前記別の排水流路は、前記シャワー装置本体にホースによって接続した筐体に設けたものであり、従来必要であった専門的な施工、工事が不要となり、ユーザが自分で簡単に設置することができ、また、設置するとき壁に傷をつけない吸盤や両面テープなどを利用することで、賃貸住居、工事を敬遠するユーザ、ユニット式浴室などでも、条件を選ばず簡単に設置することができ、設置性を向上することができ、シャワーノズルからシャワー（湯水）を噴出することで、全身シャワー浴をすることができる。また、ユーザがシャワー浴時には、シャワーは身体の部分に必ずあたっており、シャワーの噴出を緊急に止めたいときなどに、例えば緊急停止ボタンを押すことによって、プッシュストロークを利用した弁が別の排水流路側に流れを切り換えられる構成とすることで、身体に直接あたることのない安全配慮が可能となる。また、短い間だけシャワーの噴出を止めたい場合などに、給湯機側から止めると、次に給水されてくる水は温度が変化しやすいため、この排水流路を利用して一時的に排水することで、温度変化を防止することができる。さらに、シャワー装置本体をより軽く、コンパクトにすることができる。
【００１３】
請求項３に記載の発明は、上記請求項２に記載の発明において、噴出する湯水の温度を検知する水温検知手段を備え、前記水温検知手段は、シャワー装置本体にホースによって接続した筐体に設けて、別の排水流路への通水を制御するようにしたものであり、水温検知手段により高温を検知したとき、別の排水流路への通水を制御することで、自動安全装置として使うことができる。
【００１４】
また、水温検知手段をシャワー装置本体にホースによって接続した筐体に設けたことで、シャワー装置本体をより軽く、コンパクトにすることができ、また、この場合、シャワー装置本体に供給されてくる湯水の給水元により近い所で検知を行うため、より応答の良い安全装置を実現できる。さらに、この別の筐体に別のシャワー装置を分岐・接続することで、汎用安全装置としても使うことができる。
【００１５】
請求項４に記載の発明は、上記請求項３に記載の発明において、筐体は、湯水を供給する蛇口とシャワー装置本体との間に設けたものであり、シャワー装置本体に供給されてくる湯水の給水元により近い所で検知を行うため、より応答のよい安全装置を実現できる。
【００１６】
【実施例】
以下、本発明の実施例について、図面および参考例を参照しながら説明する。
【００１７】
（参考例１）
図１に示すように、シャワー装置本体１は、複数のシャワーノズル２を設け、これらに連通する流路３を設け、表面をカバー体１Ａで覆っている。なお、シャワーノズル２の根元は、球面形状で、シャワー装置本体１でこの球面形状の根元を支持するように構成しており、シャワーノズル２の先端は所定の領域内で自由に向きを可変できるようにしている。
【００１８】
また  流路３はシャワー装置本体１の内部で一元化しており、本体接続ホース４につながっている。この本体接続ホース４を混合栓５につなぐことで、シャワー装置本体１への給水を実現する。
【００１９】
本参考例においては、シャワーホース７を連通したハンドシャワー８と、シャワー装置本体１の両方を使用できるように、２分岐ユニット６を混合栓５の下部に設置している。２分岐ユニット６は、ユーザが手で切り換え可能な２方向分岐弁である。また、２分岐ユニット６の接続部分は、一般的なシャワーホース７が接続可能なように、同一マウントで構成している。
【００２０】
シャワー装置本体１は、図２（ａ）に示すように、浴室の壁面９に固定して使用する。実際に使用する場合、図２（ｂ）に示すように、主にシャワー装置本体１を背にして着座姿勢で使用するため、固定位置を決める場合には、シャワー浴に使用するいすの座面高さＨに応じて決まる所定の範囲で、シャワー装置本体１の高さを決定する。
【００２１】
また、シャワー装置本体１は、図３に示すように、浴室の壁面９に固定した固定ハンガー部１０にシャワー装置本体１の裏面を引っ掛けて固定する。固定ハンガー部１０は、設置用吸盤１１を用いて壁面９に固定する。固定ハンガー部１０上には、設置時に使用するグリップ１２を設けている。
【００２２】
設置用吸盤１１は、図４に示すように、吸盤引張り軸１３をインサート成形した部材であり、吸盤カバー１４に覆われている。吸盤カバー１４は、設置用吸盤１１の保護だけでなく、吸盤の円周方向を押さえる役割がある。すべり止め１５には、壁面９との接地部に例えばゴム系の足１６を設け、設置時にはすべり止め１５を介して足１６を壁面９に押さえつける構造をとっている。
【００２３】
ロックアーム１７は、ピン１８によって吸盤引張り軸１３に軸支され、ロックアーム１７を回倒することで、ハンガー本体１９を押し付け、結果として吸盤引張り軸１３を上に引き上げる。このとき、すべり止め１５は吸盤引張り軸１３とリンクした動きで足１６を壁面９に押し付ける。なお、吸盤カバー１４とハンガー本体１９は一体として動く。
【００２４】
上記構成において動作を説明する。シャワー装置本体１を設置するために、まず、浴室内のいすの高さから割り出されるシャワー装置本体１の高さを決める。つぎに、固定ハンガー部１０を、決められた壁面９の取付位置に、ハンガー上に設けられたグリップ１２で押しあて、図４（ｂ）に示すように、３つのロックアーム１７を下に降ろす。
【００２５】
この動作によって、設置用吸盤１１の内部に真空部分ができ、図４（ａ）に示す引張り方向Ａに対して強度が確保され、またすべり止め１５の足１６がブリッジを作ってすべりを抑えるため、すべり方向Ｂに対しても強い構成を実現できる。なお、壁面９に設置用吸盤１１が固定できない材質、表面形状の場合は、両面テープまたは接着剤を塗布した設置補助板（図示せず）を用いて、壁面９に固定ハンガー部１０を直接貼り付ける。最後にシャワー装置本体１を固定ハンガー部１０に掛けることによりシャワー装置本体１を壁面９に固定することができる。
【００２６】
シャワー装置本体１を固定した壁面９の前に、図２（ｂ）に示すように座り、２分岐ユニット６をシャワー装置本体１側に切り換えて、混合栓５を開くことにより、シャワーノズル２よりシャワー（湯水）が噴出して全身シャワー浴をすることができる。
【００２７】
また、上述のような設置方法であれば、シャワー装置本体１の大きさが設置可能な壁さえあれば、どこでも一人の作業者で簡単に取付けることができる。これにより、従来必要であった専門的な施工・工事が不要となり、ユーザが自分で簡単に設置することができる。
【００２８】
また、設置において壁面９に傷をつけない設置用吸盤１１や両面テープなどを利用することで、賃貸住居、工事を敬遠するユーザ、ユニット式浴室などでも、条件を選ばず設置することができ、従来にない高い設置性を実現することができる。
【００２９】
なお、本参考例では、ハンガーを介して壁に固定する設置方式を挙げたが、シャワー装置本体を直接壁に固定する方式においてもその効果は同様である。また設置手段として吸盤または両面テープを例に挙げたが、接着剤やパテについてもその効果は同様である。また、吸盤引張り軸１３を引き上げる動作はロックアーム１７で構成したが、ネジ式など軸を引っ張り上げるものであれば、その効果は同じである。
【００３０】
（参考例２）
図５（ａ）（ｂ）に示すように、可動アーム部２０は、第１の関節２１と第２の関節２２とを有し、３個のシャワーノズル２３を設けている。この可動アーム部２０をシャワー装置本体１ａの左右に１対設けている。シャワー装置本体１ａには複数のシャワーノズル２を設けている。
【００３１】
可動アーム部２０は、使用前後は、図５（ａ）のように収納されており、使用時には図５（ｂ）のようにユーザをつつみ込むように展開できるよう構成している。また、可動アーム部２０が推奨する角度に移動したことがわかかるように、所定の位置でクリック感をもたせ、ユーザに喚起するようにしている。その他の構成は上記参考例１と同じである。
【００３２】
上記構成において動作を説明する。上記参考例１に示すシャワー装置本体１は、浴室の壁面に固定して使用する。実際に使用する場合、主にシャワー装置本体１を背にして着座姿勢で使用するが、シャワー装置本体１から直接噴出されるシャワーでは、身体の１面のみで限られた所しか当たらない。全身温浴を可能とするためには、身体の前面背面の両方からシャワーを噴出することが望ましく、また温まりを考慮すると、身体を包み込むシャワーノズルの配置が重要となる。
【００３３】
本参考例では、シャワー装置本体１ａは、上記参考例１と同様に、浴室の壁面に固定し、まず、可動アーム部２０の先端に設けた持ち手部２４を持って上方にあげて所定の位置で固定し、その後にシャワー装置本体１ａの前に座ってシャワー浴する。
【００３４】
可動アーム部２０に設けた３つのノズル２３は、足、胸、肩をそれぞれ前からねらって噴出するように構成しており、身体を包み込むシャワーノズルの配置となっている。また、第１の関節２１と第２の関節２２を持たせて動きの自由度を増しているため、コンパクトなシャワー装置本体１ａでも、ねらい通りの部位にシャワーを噴出することができる。これにより、所定の温まり性能やリラクゼーション効果を実現することができる。
【００３５】
（参考例３）
図６に示すように、シャワーノズル２ａは、図示していないが、根元を球面形状に形成しており、ノズル受け２５によって所定の角度の範囲で移動自在に配設している。このため、シャワーノズル２ａの先端は、所定の範囲内で自由に向きを可変できる。さらに、シャワーノズル２ａの先端に、流路開閉部２６をノズル機構と一体に構成し、左右の回転で水の流路を開閉できるよう構成している。他の構成は上記参考例１と同じである。
【００３６】
上記構成において動作を説明する。シャワー浴を行う前またはシャワー浴中に、シャワーの噴出が必要ない、または噴出したくない部位がある場合は、図６（ｂ）に示すように、その部位のシャワーノズル２ａを回転して個別に止水する。
【００３７】
たとえば、水の飛び散りが気になる場合や、けが人がシャワー浴する場合、要介護者のケアを行う場合、リラクゼーション効果を高めるシャワー浴を追求する場合などにおいて、その部位のシャワーノズル２ａを回転させ個別に止水することができる。これにより、ユーザの要望に対応できる多様性あるシャワー浴を実現できる。
【００３８】
なお、本参考例では、シャワーノズル２ａは、回転動作で水の流路を開閉できるよう構成しているが、前後のストローク動作で水の流路を開閉できるよう構成しても、その効果は同じである。また、シャワーノズル２ａだけでなく、流路３の途中で開閉する方式や、シャワー装置本体１側でシャワーノズル２自体を覆ってしまう方式などにおいてもその効果は同様である。
【００３９】
（参考例４）
図７に示すように、シャワー装置本体１ｂは、内部に３分岐弁２７を設け、本体接続ホース４から供給された水を３分岐弁２７で３方に分水し、それぞれ別の流路３Ａ、３Ｂ、３Ｃで、グループ化したシャワーノズル２Ａ、２Ｂ、２Ｃに接続している。３分岐弁２７は、シャワー装置本体１Ｂに設けた操作手段２８によって切り換え可能な構成となっている。
【００４０】
なお、３分岐弁２７は、回転の動きによって動作しており、これは操作手段２８による切り換えとリンクしている。これにより、グループ化された１個または複数個のシャワーノズル２Ａ、２Ｂ、２Ｃ別に、噴出・止水を操作手段２８によって操作可能となる。他の構成は上記参考例１と同じである。
【００４１】
上記構成において動作を説明する。本参考例では、シャワー装置本体１ｂのモードを全身温浴、腰部温熱、打たせ湯の３つで用意し、それぞれの効果が期待できる位置にシャワーノズル２Ａ、２Ｂ、２Ｃを配置している。使用例としては、まず全身温浴モード１０分間で十分に体を温め、その後、腰部温熱モードで特に腰部に温熱効果を加え、打たせ湯モードでリラックス感を高めてシャワー浴を終了する等が考えられる。
【００４２】
この場合、予め設定された３つのモードを操作手段２８によって簡単に切り換えできる。また、この使い方についても１つの例であり、普通に風呂に入浴し、打たせ湯だけを使うなど、ユーザが各々に合った好みの方法で使用することができる。
【００４３】
このように、複数個のシャワーノズル２Ａ、２Ｂ、２Ｃをグループ化し、予め設定・最適化された、複数のモードをユーザは簡単に選択できるようになる。また全身の温まりや部分温熱効果などの違った性能・効能について、その使い分けや相乗効果などにより、多様性を持った使い方をユーザが選択することができる。
【００４４】
（参考例５）
図８に示すように、シャワー装置本体１ｃは、内部に３分岐弁２７を設け、３分岐弁２７の近傍に動作変換手段２９を設け、ケーブル状の操作伝達手段３０による引っ張り動作を回転動作に変換して３分岐弁２７を切り換えるようにしている。操作手段３１は、シャワー装置本体１ｃから離れたところに設置し、操作伝達手段３０を介して動作変換手段２９を動作させるよう構成している。操作手段３１は、手のグリップ力を利用して１回引くごとにモードが切り換わる構成としている。他の構成は上記参考例４と同じである。
【００４５】
上記構成において動作を説明する。図７の操作手段２８のように、シャワー装置本体１ｂと操作部が一体化している場合には、どうしても壁面付近に操作部が設けられているため、使用時の姿勢によっては操作がしにくくなる。そこで、図８に示すように、操作伝達手段３０を介してハンディな操作手段３１を設けることで、操作手段３１を自由に持ったままで、シャワー浴ができるようになり、姿勢に無理のかからない高い操作性を実現することができる。
【００４６】
（参考例６）
図９に示すように、シャワーノズル２ｃは根元が球面形状をしており、ノズル受け３２とノズル固定具３３に挟み込み、所定の角度の範囲で移動自在に配設している。このため、シャワーノズル２ｃの先端は、所定の範囲内で自由に向きを可変できる。また、ノズル受け３２はシャワー装置本体１ｄの前面方向から回すことで容易に着脱できるようにしている。シャワーノズル２ｃをはずしたときは、シャワーノズル２ｃに連通する流路口３４が見えている。他の構成は上記参考例１と同じである。
【００４７】
上記構成において動作を説明する。本参考例では、シャワーノズル２ｃを噴出方向側から着脱自在の構成としたものであり、シャワーノズル２ｃをユーザが自由に取り換え可能とすることで、ユーザの要望に応じていカスタマイズでき、さらに高付加価値のシャワーノズル２ｃを別途用意することで、各ユーザごとに最適な環境を供給可能となる。また、シャワーノズル２ｃなどを容易にメンテナンスすることができ、シャワー装置本体１ｄをより衛生的にを保つことができる。
【００４８】
なお、本参考例では、ノズル受け３２はシャワー装置本体１ｄの前面方向から回すことで着脱可能としたが、シャワーノズル２ｃが着脱自在な構成であれば、ツメなどの嵌合などによるものでもその効果は同様である。
【００４９】
（参考例７）
図１０（ａ）に示すように、シャワーノズル２ｄは、シャワー装置本体１ｅの設置場所を可変できるように構成し、シャワーノズル２ｄの先端をつまんで上下に移動し、シャワーを噴出する位置を移動できるようにしている。他の構成は上記参考例１と同じである。
【００５０】
上記構成において動作を説明する。シャワーノズル２ｄを壁面に設置して使用する場合、複数のユーザが使用する際に、ユーザの体格がそれぞれ違うため、本来ねらいとするシャワー噴出位置が確保できなくなってしまう。そこで、シャワー装置本体１ｅのシャワーノズル２ｄの位置を変更可能とすることで、ユーザの体格の違いを補完し、本来ねらいとする身体の部位にシャワー噴出位置を確保することができる。また、ユーザが独自にシャワーノズル２ｄの配置を決めたいときなどにも、実現可能となる。
【００５１】
なお、本参考例では、シャワー装置本体１ｅに設置したシャワーノズル２ｄについて説明したが、上記参考例２にて説明した可動アーム部に設けたシャワーノズルについても、シャワーを噴出する位置を移動できるようにすることで、同様の効果を得ることができる。
【００５２】
また、図１０（ｂ）に示すように、シャワーノズルとノズル受けなどでシャワーを噴出できるノズルユニット３５を構成し、自在配管流路３６を接続することで、ノズルユニット３５を、たとえば、磁力によって任意の場所に配置可能としてもよく、同様の効果を得ることができる。
【００５３】
（参考例８）
図１１に示すように、シャワー装置本体１ｆは、把手部３７を有するとともに、シャワー装置本体１ｆが伸縮するスライダ機構３８を備えている。他の構成は上記参考例１と同じである。
【００５４】
上記構成において動作を説明する。浴室の広さは一般的に限られており、広いスペースを確保できないことが多い。本参考例では、使用するときは、図１１（ｂ）に示すように、把手部３７でシャワー装置本体１ｆを伸ばし、不使用時には、図１１（ａ）に示すように、縮めておく。この動作によって、使用しないときはシャワー装置本体１ｆをコンパクトに収納することができ、シャワー装置本体１ｆの容積を減少させ、また視覚的な圧迫感を排除することができる。
【００５５】
なお、本参考例では、シャワー装置本体１ｆは、伸縮する構造について示したが、たとえば、図１２に示すように、シャワー装置本体１ｇを折りたたみ構造とし、使用するときは、図１２（ｂ）に示すように、シャワー装置本体１ｇを広げ、不使用時には、図１２（ａ）に示すように、折りたたむことによって、同様の効果を得ることができる。
【００５６】
（参考例９）
図１に示すシャワー装置本体１は、成人男性の背中面の大きさ以下に構成し、シャワー入浴者の肩部・腰部近傍にシャワーノズル２を少なくとも１個設けている。
【００５７】
上記構成において動作を説明する。シャワーノズル２と身体の表面の距離は、大きくなるほど急激に寒さを感じるようになる。温まり感を維持しつつ、全身温浴のシャワーを浴びるためには、最低でも上部は肩付近から下部は腰部付近までシャワーを噴出させる必要があり、また、シャワーノズル１と身体の表面の距離を開けずにシャワー装置本体１を構成するのがより望ましい。
【００５８】
そこで、コンパクト、軽量を実現しつつこれらの条件を満たした場合、シャワー装置本体１を成人男性の背中面の大きさ以下に構成し、シャワー入浴者の肩部・腰部近傍にシャワーノズルを少なくとも１個以上設けることで、所定の温まり性能を満たすことができる。
【００５９】
なお、本参考例では、図１に示すシャワー装置本体１について説明したが、図５に示すシャワー装置本体１ａについても、同様に構成することにより、同様の効果を得ることができる。
【００６０】
（参考例１０）
図１３に示すように、流量調節手段３９は、シャワー装置本体１ｈ内に設け、本体接続ホース４から供給された湯水は、流量調節手段３９を経て３分岐弁２７に達する。また流量調節手段３９は流量調節つまみ４０によって、シャワー装置本体１ｈの外部より調節可能な構成となっている。他の構成は上記参考例１または４と同じである。
【００６１】
上記構成において動作を説明する。本参考例においては、流量調節つまみ４０を調節することによって、シャワーノズル２Ａ、２Ｂ、２Ｃから噴出される湯水の勢いを調整できる。これにより、一部の地方によって起こりうる高い水道圧への対応や、シャワーノズル２Ａ、２Ｂ、２Ｃからの噴出が強いとユーザが感じたときの調整手段として利用することができる。
【００６２】
（実施例１）
図１４に示すように、流量調節手段４１は、シャワー装置本体１ｉにホース４２によって接続した筐体４３に設け、流量調節つまみ４４によって、シャワー装置本体１ｉの外部より調節できるよう構成している。他の構成は上記参考例１または５と同じである。
【００６３】
上記構成において動作を説明する。本実施例においては、流量調節つまみ４４を調節することによって、シャワーノズル２Ａ、２Ｂ、２Ｃから噴出される湯水の勢いを調整できるので、一部の地方によって起こりうる高い水道圧への対応や、シャワーノズル２Ａ、２Ｂ、２Ｃからの噴出が強いとユーザが感じたときの調整手段として利用することができる。また、シャワー装置本体１ｉをより軽く、コンパクトにすることができる。
【００６４】
（参考例１１）
図１５に示すように、シャワー装置本体１ｊは、シャワーノズル２Ａ、２Ｂ、２Ｃ以外の別の排水流路４５を設けている。この排水流路４５は、通常使用時には非常時開放弁４６により閉じられている。他の構成は上記参考例１または４と同じである。
【００６５】
上記構成において動作を説明する。シャワー浴時には、シャワーは身体に必ずあたっている。ここで、シャワーの噴出を緊急に止めたいことが発生すれば、緊急停止ボタン４７を押すことによって、プッシュストロークを利用した非常時開放弁４６により排水流路４５側に流れを切り換えることで、安全配慮が可能となる。
【００６６】
また、短い間だけシャワーの噴出を止めたい場合などに、給湯機側から止めると、つぎに給水されてくる水は温度が変化しやすいため、排水流路４５を利用して、一時的に排水することで、温度変化を防止することができる。
【００６７】
なお、本参考例では、緊急にシャワーの噴出を止めたいときに、非常時開放弁４６により排水流路４５側に流れを切り換えるよう構成しているが、排水流路４５側だけ開放するようにしても、排水流路４５の能力が所定値以上なら問題なく動作し、その効果は同様である。
【００６８】
（参考例１２）
図１６に示すように、シャワー装置本体１ｋは、水温検知手段４８を設けており、この水温検知手段４８は、供給される湯水の温度が所定の温度以上になればこれを検知し、非常時開放弁４６により排水流路４５側に流れを切り換えるよう構成している。他の構成は上記参考例１１と同じである。
【００６９】
上記構成において動作を説明する。シャワーノズル２Ａ、２Ｂ、２Ｃから噴出される湯水が高温となった場合には、所定の温度以上になると、水温検知手段４８が動作して、高温水を別の排水流路４５側に流れを切り換える。これにより、高温水を排水する自動安全装置として動作し、安全性を向上することができる。
【００７０】
なお、本参考例では、緊急にシャワーの噴出を止めたいときに、非常時開放弁４６により排水流路４５側に流れを切り換えるよう構成しているが、排水流路４５側だけ開放するようにしても、排水流路４５の能力が所定値以上なら問題なく動作し、その効果は同様である。
【００７１】
（実施例２）
図１７に示すように、筐体４９は、排水流路４５ａ、非常時開放弁４６ａ、水温検知手段４８ａを一体に構成し、本体接続ホース４を介してシャワー装置本体１ｂに接続している。また、この筐体４９は、湯水を供給する蛇口（図示せず）とシャワー装置本体１ｂとの間に設けている。他の構成は上記参考例１または１２と同じである。
【００７２】
上記構成において動作を説明する。水温検知手段４８ａは、所定の温度以上になるとこれを検知し、非常時開放弁４６ａを切り換えることで、排水流路４５ａが開放される。これにより、高温水を排水する自動安全装置として動作し、安全性を向上することができ、さらに、シャワー装置本体１ｂをより軽く、コンパクトにすることができる。
【００７３】
また、この場合、シャワー装置本体１ｂに供給されてくる水の給水元により近い所で湯水の温度を検知するため、より応答のよい安全装置を実現できる。さらに、筐体４９に別のシャワー装置を分岐・接続することで、汎用安全装置としても使うことができる。
【００７４】
なお、本実施例では、緊急にシャワーの噴出を止めたいときに、非常時開放弁４６ａにより排水流路４５ａ側に流れを切り換えるよう構成しているが、排水流路４５ａ側だけ開放するようにしても、排水流路４５ａの能力が所定値以上なら問題なく動作し、その効果は同様である。
【００７５】
【発明の効果】
以上のように本発明の請求項１に記載の発明によれば、湯水を噴出する複数のシャワーノズルと、前記シャワーノズルに連通する流路と、前記シャワーノズルを配置したシャワー装置本体と、前記シャワーノズルから噴出する湯水の勢いを調節可能な流量調節手段とを備え、前記シャワー装置本体は、任意の位置に着脱自在に固定可能とするとともに、前記流量調節手段は、前記シャワー装置本体にホースによって接続した筐体に設けたから、ユーザが自分で簡単に設置することができ、また、設置するとき壁に傷をつけない吸盤や両面テープなどを利用することで、賃貸住居、工事を敬遠するユーザ、ユニット式浴室などでも、条件を選ばず簡単に設置することができ、設置性を向上することができ、シャワーノズルからシャワー（湯水）を噴出することで、全身シャワー浴をすることができる。また、一部の地方によって起こり得る高い水道圧への対応などが容易にできるため、シャワーノズルからの噴出が強いとユーザが感じたときの調整手段として利用することができるとともに、高水圧による破損の防止や、最適な使い心地を実現できる。
【００７６】
また、請求項２に記載の発明によれば、湯水を噴出する複数のシャワーノズルと、前記シャワーノズルに連通する流路と、前記シャワーノズルを配置したシャワー装置本体と、前記流路に設けた前記シャワーノズル以外の別の排水流路とを備え、前記シャワー装置本体は、任意の位置に着脱自在に固定可能とするとともに、前記別の排水流路は、前記シャワー装置本体にホースによって接続した筐体に設けたから、従来必要であった専門的な施工、工事が不要となり、ユーザが自分で簡単に設置することができ、また、設置するとき壁に傷をつけない吸盤や両面テープなどを利用することで、賃貸住居、工事を敬遠するユーザ、ユニット式浴室などでも、条件を選ばず簡単に設置することができ、設置性を向上することができ、シャワーノズルからシャワー（湯水）を噴出することで、全身シャワー浴をすることができる。また、ユーザがシャワー浴時には、シャワーは身体の部分に必ずあたっており、シャワーの噴出を緊急に止めたいときなどに、例えば緊急停止ボタンを押すことによって、プッシュストロークを利用した弁が別の排水流路側に流れを切り換えられる構成とすることで、身体に直接あたることのない安全配慮が可能となる。また、短い間だけシャワーの噴出を止めたい場合などに、給湯機側から止めると、次に給水されてくる水は温度が変化しやすいため、この排水流路を利用して一時的に排水することで、温度変化を防止することができる。さらに、シャワー装置本体をより軽く、コンパクトにすることができる。
【００７７】
また、請求項３に記載の発明によれば、噴出する湯水の温度を検知する水温検知手段を備え、前記水温検知手段は、シャワー装置本体にホースによって接続した筐体に設けて、別の排水流路への通水を制御するようにしたから、水温検知手段により高温を検知したとき、別の排水流路への通水を制御することで、自動安全装置として使うことができる。
【００７８】
また、水温検知手段をシャワー装置本体にホースによって接続した筐体に設けたから、シャワー装置本体をより軽く、コンパクトにすることができ、また、この場合、シャワー装置本体に供給されてくる湯水の給水元により近い所で検知を行うため、より応答の良い安全装置を実現できる。さらに、この別の筐体に別のシャワー装置を分岐・接続することで、汎用安全装置としても使うことができる。
【００７９】
また、請求項４に記載の発明によれば、筐体は、湯水を供給する蛇口とシャワー装置本体との間に設けたから、シャワー装置本体に供給されてくる湯水の給水元により近い所で検知を行うため、より応答のよい安全装置を実現できる。
【図面の簡単な説明】
【図１】  本発明の第１の参考例のシャワー装置の一部切欠した正面図
【図２】  （ａ）同シャワー装置の取付状態の斜視図
（ｂ）同シャワー装置の取付状態の側面図
【図３】  同シャワー装置の取付状態の分解斜視図
【図４】  （ａ）同シャワー装置の固定ハンガー部の設置前の一部切欠した拡大断面図
（ｂ）同シャワー装置の固定ハンガー部の設置後の一部切欠した拡大断面図
【図５】  （ａ）本発明の第２の参考例のシャワー装置の斜視図
（ｂ）同シャワー装置の使用状態の斜視図
【図６】  （ａ）本発明の第３の参考例のシャワー装置のシャワーノズルの斜視図
（ｂ）同シャワー装置のシャワーノズルの止水状態の斜視図
【図７】  本発明の第４の参考例のシャワー装置の一部切欠した正面図
【図８】  本発明の第５の参考例のシャワー装置の一部切欠した正面図
【図９】  本発明の第６の参考例のシャワー装置のシャワーノズルの分解斜視図
【図１０】  （ａ）本発明の第７の参考例のシャワー装置の一部切欠した斜視図
（ｂ）同シャワー装置の他の例の一部切欠した斜視図
【図１１】  （ａ）本発明の第８の参考例のシャワー装置の収納状態の斜視図
（ｂ）同シャワー装置の使用状態の斜視図
【図１２】  （ａ）本発明の第８の参考例のシャワー装置の他の例の収納状態の斜視図
（ｂ）同シャワー装置の使用状態の斜視図
【図１３】  本発明の第１０の参考例のシャワー装置の一部切欠した正面図
【図１４】  本発明の第１の実施例のシャワー装置の一部切欠した正面図
【図１５】  本発明の第１１の参考例のシャワー装置の一部切欠した正面図
【図１６】  本発明の第１２の参考例のシャワー装置の一部切欠した正面図
【図１７】  本発明の第２の実施例のシャワー装置の一部切欠した正面図
【符号の説明】
１  シャワー装置本体
２  シャワーノズル
３  流路
４１  流量調節手段
４２  ホース
４３、４９  筐体
４５ａ  排水流路
【図１】
0003972602.tif 000002
【図２】
0003972602.tif 000003
【図３】
0003972602.tif 000004
【図４】
0003972602.tif 000005
【図５】
0003972602.tif 000006
【図６】
0003972602.tif 000007
【図７】
0003972602.tif 000008
【図８】
0003972602.tif 000009
【図９】
0003972602.tif 000010
【図１０】
0003972602.tif 000011
【図１１】
0003972602.tif 000012
【図１２】
0003972602.tif 000013
【図１３】
0003972602.tif 000014
【図１４】
0003972602.tif 000015
【図１５】
0003972602.tif 000016
【図１６】
0003972602.tif 000017
【図１７】
0003972602.tif 000018